(57)【要約】      （修正有）【課題】  手書入力が可能な装置本体に対して情報入力を行うための入力ペンにおいて、従来の入力ペンは丸軸状のため、指との接触面積が比較的小さく、把持するために比較的大きな力が必要となる。【解決手段】  入力ペンの形状について、少なくともペン先８ｂ側の部分をペン先から遠ざかるに従って幅が広がる略板状に形成した。これにより、把持をより小さい力で安定的に行えると共に、入力ペンの収納部を装置本体に形成する必要性も無くする。【選択図】図１
2005309482.tif 000002
【特許請求の範囲】
【請求項１】
手書入力が可能な装置本体に対して情報入力を行うための入力ペンであって、
少なくともペン先側の部分がペン先から遠去かるに従って幅が広がる略板状に形成された
ことを特徴とする入力ペン。
【請求項２】
全体を略板状に形成した
ことを特徴とする請求項１に記載の入力ペン。
【請求項３】
ペン先からペン先の反対側の端部までの略中央部を最も幅が広い幅広部として形成した
ことを特徴とする請求項１に記載の入力ペン。
【請求項４】
厚み方向における一方の面を凹状の略曲面形状に形成した
ことを特徴とする請求項１に記載の入力ペン。
【請求項５】
厚み方向における他方の面を突状の略曲面形状に形成した
ことを特徴とする請求項４に記載の入力ペン。
【請求項６】
ペン先を含むベース部材と該ベース部材より硬い材料から成る補強部材とを結合することにより構成した
ことを特徴とする請求項１に記載の入力ペン。
【請求項７】
ペン先を含む少なくとも一部を複数の金型を用いた射出成形によって形成し、
各金型間の接続部分によって形成されるパーティングラインをペン先以外の部分に形成するようにした
ことを特徴とする請求項１に記載の入力ペン。
【請求項８】
手書入力が可能な装置本体と、
該装置本体に対して情報入力を行うための入力ペンと、
該入力ペンを装置本体に吊り下げるストラップとを備え、
該ストラップは紐と該紐を保持する紐保持具とを有し、
該紐保持具には紐を固定する固定部と紐を摺動自在に支持する摺動支持部とが設けられ、
固定部と摺動支持部との間に位置する紐の部分によって使用者の手が挿入される挿入用ループ部が形成され、
紐を摺動支持部に対して摺動させることにより挿入用ループ部の大きさを変更可能とした
ことを特徴とする情報処理装置。
【請求項９】
上記ストラップと入力ペンとの間に入力ペンをストラップに対して着脱可能とする着脱具を設けた
ことを特徴とする請求項８に記載の情報処理装置。
【請求項１０】
上記紐保持具の固定部を摺動支持部より装置本体に近い側に設けた
ことを特徴とする請求項８に記載の情報処理装置。
【発明の詳細な説明】
【技術分野】
【０００１】
本発明は入力ペン及び情報処理装置についての技術分野に関する。詳しくは、入力ペンに関する利便性の向上等を図る技術分野に関する。
【背景技術】
【０００２】
近年、各種の情報を手書入力装置として用いられる装置本体に対して入力ペンを用いて入力することが行われている。手書入力装置としては、例えば、パーソナルコンピュータやＰＤＡ（Personal Digital Assistance）等があり、このような装置には、一般に、不使用時に入力ペンを収納するペン収納部が形成され、入力ペンはペン先側の部分を除いて略丸軸状に形成されている（例えば、特許文献１参照）。
【０００３】
【特許文献１】特開平１１−８５３１６号公報
【発明の開示】
【発明が解決しようとする課題】
【０００４】
ところが、上記した従来の入力ペンにあっては、使用者が指で把持する部分が丸軸状であるため、指との接触面積が比較的小さく、把持するための比較的大きな力が必要となり、把持状態が不安定である場合も少なくなく、手書き入力時に支障を来たす場合があった。
【０００５】
また、丸軸状であるために、その軸回り方向へ入力ペンが回転し易く、その分、使用者が入力ペンを強い力で把持する必要があった。
【０００６】
さらに、装置本体にはペン収納部が形成されているため、収納状態においては入力ペンの紛失のおそれが少ないが、ペン収納部から取り出してしまうと、入力ペンの紛失や置き忘れと言った不具合を生じるおそれがあり、加えて、手書き入力時の入力ペンの落下という問題も生じ得る。
【０００７】
さらには、ペン収納部を必要とする分、装置本体にペン収納部を形成するための専用のスペースやペン収納部からの入力ペンの脱落を防止するための構造等も必要となり、装置本体の小型化及び製造コストの低減に支障を来たしていた。
【０００８】
そこで、本発明入力ペン及び情報処理装置は、上記した問題点を克服し、入力ペンに関する利便性の向上等を図ることを課題とする。
【課題を解決するための手段】
【０００９】
本発明入力ペンは、上記した課題を解決するために、手書入力が可能な装置本体に対して情報入力を行うための入力ペンにおいて、少なくともペン先側の部分をペン先から遠去かるに従って幅が広がる略板状に形成したものである。
【００１０】
従って、本発明入力ペンにあっては、把持したときの指との接触面積が大きくなる。
【００１１】
本発明情報処理装置は、上記した課題を解決するために、手書入力が可能な装置本体と、該装置本体に対して情報入力を行うための入力ペンと、該入力ペンを装置本体に吊り下げるストラップとを設け、該ストラップに紐と該紐を保持する紐保持具とを設け、該紐保持具に紐を固定する固定部と紐を摺動自在に支持する摺動支持部とを設け、固定部と摺動支持部との間に位置する紐の部分によって使用者の手が挿入される挿入用ループ部を形成し、紐を摺動支持部に対して摺動させることにより挿入用ループ部の大きさを変更可能としたものである。
【００１２】
従って、本発明情報処理装置にあっては、入力ペンを収納するペン収納部を装置本体に形成する必要がないと共に挿入用ループ部の大きさを自由に選択可能となる。
【発明の効果】
【００１３】
本発明入力ペンは、手書入力が可能な装置本体に対して情報入力を行うための入力ペンであって、少なくともペン先側の部分がペン先から遠去かるに従って幅が広がる略板状に形成されたことを特徴とする。
【００１４】
従って、指との接触面積が大きく、把持するための大きな力を必要とせず、把持状態が安定し手書き入力操作時の操作性の向上を図ることができる。
【００１５】
また、略板状であるために、丸軸状に形成された入力ペンのような軸回り方向への回転力が発生し難く、その分、使用者の把持力が小さくて済む。
【００１６】
請求項２に記載した発明にあっては、全体を略板状に形成したので、入力ペンを把持し易いと共に入力ペンの軽量化を図ることができる。
【００１７】
請求項３に記載した発明にあっては、ペン先からペン先の反対側の端部までの略中央部を最も幅が広い幅広部として形成したので、使用者が通常把持する部分が最も幅が広く、安定した把持状態を確保することができると共に、使用者の指の大きさ等を考慮して把持位置を長手方向にずらすことにより使用者に最適な把持位置で入力ペンを把持することができる。
【００１８】
請求項４に記載した発明にあっては、厚み方向における一方の面を凹状の略曲面形状に形成したので、入力ペンを持ち易く、安定な状態で入力ペンを把持することができる。
【００１９】
請求項５に記載した発明にあっては、厚み方向における他方の面を突状の略曲面形状に形成したので、入力ペンを持ち易く、安定な状態で入力ペンを把持することができる。
【００２０】
請求項６に記載した発明にあっては、ペン先を含むベース部材と該ベース部材より硬い材料から成る補強部材とを結合することにより構成したので、ペン先の硬度が小さくディスプレイの傷付きや損傷を防止することができると共に入力ペンの剛性が高まり入力ペンの把持状態の安定化及び入力ペンの損傷や変形を防止することができる。
【００２１】
請求項７に記載した発明にあっては、ペン先を含む少なくとも一部を複数の金型を用いた射出成形によって形成し、各金型間の接続部分によって形成されるパーティングラインをペン先以外の部分に形成するようにしたので、ペン先にはパーティングラインが存在せずペン先の外面が滑らかな面となり、ペン先が接触するディスプレイの傷付きや損傷を防止することができると共に入力操作の円滑化を図ることができる。
【００２２】
本発明情報処理装置は、手書入力が可能な装置本体と、該装置本体に対して情報入力を行うための入力ペンと、該入力ペンを装置本体に吊り下げるストラップとを備え、該ストラップは紐と該紐を保持する紐保持具とを有し、該紐保持具には紐を固定する固定部と紐を摺動自在に支持する摺動支持部とが設けられ、固定部と摺動支持部との間に位置する紐の部分によって使用者の手が挿入される挿入用ループ部が形成され、紐を摺動支持部に対して摺動させることにより挿入用ループ部の大きさを変更可能としたことを特徴とする。
【００２３】
従って、入力ペンをストラップを介して装置本体に連結しているため、入力ペンの紛失や落下を防止することができ、また、装置本体に入力ペンを収納するための収納部を必要としないため、装置本体の小型化及び機構の簡素化を図ることができる。
【００２４】
また、入力ペンをペン収納部に収納しないため、入力ペンの形状やデザインの制約がなく、入力ペンについての設計の自由度の向上を図ることが出いる。
【００２５】
さらに、使用者にとっては、入力ペンを収納部に収納するという面倒な作業を行う必要がなくなる。
【００２６】
加えて、ストラップは、紐の挿入用ループ部の大きさを自由に変更することが可能であるため、挿入用ループ部を使用者の希望する大きさに変更できると共に装置本体から入力ペンまでの長さを調節することができ、使い勝手の向上を図ることができる。
【００２７】
請求項９に記載した発明にあっては、上記ストラップと入力ペンとの間に入力ペンをストラップに対して着脱可能とする着脱具を設けたので、入力ペンをストラップから取り外した状態で使用することが可能であり、使用者にとっては、使用態様の幅が広がり、使い勝手の向上を図ることができる。
【００２８】
請求項１０に記載した発明にあっては、上記紐保持具の固定部を摺動支持部より装置本体に近い側に設けたので、紐の挿入用ループ部の大きさを変更する際に入力ペンの紐保持具に対する位置を変更するように紐の長さを調節すればよく、紐の挿入用ループ部の大きさを容易に変更することができる。
【発明を実施するための最良の形態】
【００２９】
以下に、本発明入力ペン及び情報処理装置の最良の形態を添付図面に従って説明する。
【００３０】
尚、本発明情報処理装置は、手書き入力が可能なパーソナルコンピューター、ＰＤＡ（Personal Digital Assistant）、ネットワーク端末、携帯情報端末、ワークステーション等の各種の情報処理装置に広く適用することができ、本発明入力ペンは、これらの各種の情報処理装置において用いられる入力ペンに広く適用することができる。
【００３１】
情報処理装置１は、手書入力が可能な装置本体２と、該装置本体２に対して情報入力等を行うための入力ペン（スタイラス）３と、該入力ペン３を装置本体２に吊り下げるストラップ４とを備えている（図１参照）。
【００３２】
装置本体２は筐体５に所要の各部が配置されて成る（図１及び図２参照）。筐体５は、例えば、横長の扁平な矩形状に形成され、前面５ａにディスプレイ６、例えば、液晶パネルが設けられている。装置本体２の左右両側面５ｂ、５ｂには、それぞれ紐取付孔５ｃ、５ｃが形成されている。
【００３３】
装置本体２にあっては、ディスプレイ６がタッチパネル（タブレット）とされており、ディスプレイ６の所定の位置を指や入力ペン３によってタップすることにより選択操作や入力操作等を行うことができる。
【００３４】
筐体５の所定の位置には、複数の操作釦７、７、・・・が設けられている。操作釦７、７、・・・としては、例えば、センター釦７ａ、左釦７ｂ、右釦７ｃ、ズーム釦７ｄ、ローテーション釦７ｅ、エンター釦７ｆ、カーソルキー７ｇ、ポインティングデバイス７ｈ、ファンクション選択釦７ｉ、起動釦７ｊ、輝度変更釦７ｋ等が設けられている。
【００３５】
センター釦７ａ、左釦７ｂ、右釦７ｃはそれぞれマウスの各釦に相当する釦であり、ズーム釦７ｄはディスプレイ３に表示される表示画面の拡大縮小を行う釦であり、ローテーション釦７ｅは表示画面を９０°回転させる釦であり、エンター釦７ｆはキーボードのエンターキーに相当し操作の実行や確定を行う釦であり、カーソルキー７ｇはディスプレイ３に表示されるカーソルを上下左右に移動させる等の釦であり、ポインティングデバイス７ｈはディスプレイ３に表示されるポインターを移動させる等の釦であり、ファンクション選択釦７ｉは出力される音量の変更や外付けのディスプレイへの出力の切替等を行う釦であり、起動釦７ｊは特定のソフトウェアを起動する釦であり、輝度変更釦７ｋはディスプレイ３の輝度を変更する釦である。
【００３６】
入力ペン３は、樹脂材料、例えば、ポリエチレンによって形成されたベース部材８と、該ベース部材８より硬い材料、例えば、ＡＢＳ（アクリロニトリル−ブタジエン−スチレン共重合樹脂）にメッキ処理が施されて形成された補強部材９とが結合されて成る（図３乃至図５参照）。
【００３７】
ベース部材８は射出成形によって一方向に長い略板状のリーフ型に形成され、長手方向における略中央部が最も幅広の幅広部８ａとして形成されている。ベース部材８は、一方の端部がペン先８ｂとして設けられ、該ペン先８ｂから幅広部８ａに近付くに従って漸次幅が大きくなるように形成され、さらに幅広部８ａからペン先８ｂとは反対側の端部８ｃに近付くに従って漸次幅が小さくなるように形成されている。
【００３８】
ペン先８ｂは略半球状に形成されている。
【００３９】
ベース部材８の厚み方向における一方の面１０には、その周縁部を除いた部分に取付凹部８ｄが形成されている。
【００４０】
ベース部材８の一方の面１０は緩やかな凹状の曲面１０ａに形成され（図６参照）、該一方の面１０の反対側に位置する他方の面１１は緩やかな突状の曲面１１ａに形成されている（図７参照）。
【００４１】
ベース部材８の端部８ｃには取付孔８ｅが形成されている。
【００４２】
ベース部材８は射出成形によって、例えば、以下のようにして形成される（図８参照）。
【００４３】
上方側に位置する第１の金型１００と下方に位置する第２の金型１０１と側方に位置する第３の金型１０２が用いられ、第１の金型１００と第２の金型１０１とが突き合わされてペン先８ｂ以外の部分が形成される。
【００４４】
第３の金型１０２には略半球状の凹部１０２ａが形成され、凹部１０２ａに溶融樹脂が充填されることによりペン先８ｂが形成される。従って、ペン先８ｂと該ペン先８ｂ以外の部分との連続部分に、第３の金型１０２と第１の金型１００、第２の金型１０１との接続部分によるパーティングライン１２が形成される。
【００４５】
このようにペン先８ｂとそれ以外の部分との連続部分にパーティングライン１２が形成されるため、ペン先８ｂにはパーティングライン１２が存在せず、ペン先８ｂの外面は滑らかな曲面とされる。従って、入力ペン３を用いて装置本体２のディスプレイ６に対して手書き入力を行うときに、ペン先８ｂが接触するディスプレイ６の傷付きや損傷を防止することができると共に入力操作の円滑化を図ることができる。
【００４６】
また、ペン先８ｂは比較的硬度の小さな樹脂材料、例えば、ポリエチレンによって形成されているため、ディスプレイ６の傷付きや損傷を防止することができる。
【００４７】
入力ペン３の補強部材９はベース部材８と略同じリーフ型の形状を為し、ベース部材８より一回り小さく取付凹部８ｄと同じ大きさに形成されている。従って、図６に示すように、補強部材９の厚み方向における一方の面１３は緩やかな凹状の曲面１３ａに形成され、該一方の面１３の反対側の他方の面１４は緩やかな突状の曲面１４ａに形成されている。曲面１４ａはベース部材８の一方の面１０に形成された曲面１０ａと同じ曲率に形成されている。
【００４８】
補強部材９は、上記のように、ベース部材８より硬い樹脂材料の表面にメッキ処理、例えば、ニッケルメッキが施されることにより形成されている。尚、補強部材９のメッキ処理は任意であり、全体をベース部材８より硬い樹脂材料や金属材料によって形成することも可能である。
【００４９】
補強部材９はベース部材８の取付凹部８ｄに他方の面１４が接着されて取り付けられ、ベース部材８と補強部材９が結合されることにより入力ペン３が形成される。このようにベース部材８と補強部材９が結合されて構成された入力ペン３には、その厚み方向における一方の面１５に凹状の曲面１５ａが形成されると共に他方の面１６に突状の曲面１６ａが形成される。
【００５０】
入力ペン３は、上記のように、硬度の小さい材料によって形成されたベース部材８と硬度の大きい材料によって形成された補強部材９とが結合されて構成されているため、ペン先８ｂの硬度が小さくディスプレイ６の傷付きや損傷を防止することができると共に補強部材９によって入力ペン３の剛性が高まり入力ペン３の把持状態の安定化及び入力ペン３の損傷や変形を防止することができる。
【００５１】
入力ペン３によってディスプレイ６に対して手書き入力を行うときには、例えば、親指を一方の面１５に宛い、人差し指と中指を他方の面１６に宛って入力ペン３を把持する。
【００５２】
このようにして入力ペン３を把持すれば、一方の面１５が凹状の曲面１５ａに形成されると共に他方の面１６が突状の曲面１６ａに形成されているため、入力ペン３を持ち易く安定な状態で入力ペン３を把持することができる。
【００５３】
また、入力ペン３の長手方向における略中央が最も幅の広い幅広部８ａとして形成されているため、使用者が通常把持する部分が最も幅が広く、安定した把持状態を確保することができると共に、使用者の指の大きさ等を考慮して把持位置を長手方向にずらすことにより使用者が最適な把持位置で入力ペン３を把持することができる。
【００５４】
ストラップ４は紐１７と紐保持具１８とを有している（図９乃至図１１参照）。
【００５５】
紐保持具１８は、図９及び図１２に示すように、固定部１９と摺動支持部２０とが一体に形成されて成り、固定部１９に紐挿通孔１９ａが形成され、摺動支持部２０に紐支持孔２０ａが形成されている。紐挿通孔１９ａと紐支持孔２０ａは横並びの状態で位置され、ともに同じ方向に延びるように形成されている。紐挿通孔１９ａの径は、図１２に示すように、紐１７の径より僅かに大きく形成され、紐支持孔２０ａの径は紐１７の径より稍大きく形成されている。
【００５６】
紐保持具１８の紐挿通孔１９ａに紐１７が挿通され、さらにこの紐１７が折り返されて紐支持孔２０ａに挿通される。従って、紐１７のうち、図１０及び図１１に示すように、紐挿通孔１９ａと紐支持孔２０ａとの間に位置する折り返された部分が環状に形成され、この部分が使用者の手が挿入される挿入用ループ部１７ａとされる。
【００５７】
紐保持具１８の固定部１９の互いに反対側に位置する紐１７の部分には、それぞれストッパー２１、２２が取り付けられている。従って、固定部１９の紐挿通孔１９ａに挿入された紐１７の部分は、固定部１９に対してストッパー２１、２２によって移動を規制されている。ストッパー２１、２２は、ゴム材料や樹脂材料によって略円筒状に形成されている。紐１７は、例えば、ストッパー２１、２２に圧入される。
【００５８】
尚、上記には、紐保持具１８、ストッパー２１及びストッパー２２をそれぞれ別の部品で構成した例を示したが、これらの３つの部品は、一部品として一体に形成することも可能である。
【００５９】
挿入用ループ部１７ａと反対側に位置するストッパー２１には、紐１７が位置する側と反対側の部分に細径の取付紐２３が取り付けられている。取付紐２３は環状に形成された状態でストッパー２１に取り付けられている。
【００６０】
紐１７のうち、ストッパー２１、２２が取り付けられた側と反対側の端部１７ｂ寄りの位置には、ストッパー２４が取り付けられている。端部１７ｂは環状に形成されている。
【００６１】
以上のように構成されたストラップ４において、紐１７を紐保持具１８の摺動支持部２０に対してスライドさせることにより、挿入用ループ部１７ａの径を任意の大きさに調節することができる（図１０及び図１１参照）。このとき挿入用ループ部１７ａの径を調節することにより、紐保持具１８からストッパー２４までの紐１７の長さが変更される。尚、挿入用ループ部１７ａは、ストッパー２４が紐保持具１８に当接した状態において、最大の長さとなる（図１１参照）。
【００６２】
ストラップ４は取付紐２３が装置本体２の何れかの紐取付孔５ｃ、５ｃに取り付けられることにより装置本体２に連結される（図１３参照）。
【００６３】
紐１７の端部１７ｂには着脱具２５が保持されている。着脱具２５は、図１０に示すように、順に連続されたリング部２６と基部２７と係合突部２８、２８とが樹脂材料によって一体に形成されて成る。
【００６４】
基部２７には互いに反対側の面にそれぞれ挿入溝２７ａ、２７ａが形成され、該挿入溝２７ａ、２７ａのリング部２６側の部分は、それぞれ他の部分より溝深さが深くされた係合溝部２７ｂ、２７ｂとして形成され、係合溝部２７ｂ、２７ｂ以外の部分が導入部２７ｃ、２７ｃとして形成されている。
【００６５】
係合突部２８、２８は基部２７の両端部から同じ方向へ突出され、先端部に、互いに近付く方向へ突出された係合爪２８ａ、２８ａが設けられている。係合爪２８ａ、２８ａ間の間隔は、挿入溝２７ａ、２７ａの導入部２７ｃ、２７ｃの厚みより稍小さくされている。
【００６６】
着脱具２５はリング部２６に紐１７が挿通されることにより端部１７ｂに保持されている。
【００６７】
入力ペン３には支持リング２９を介して上記着脱具２５と同様の着脱具２５が保持されている（図１０参照）。支持リング２９は着脱具２５のリング部２６と入力ペン３の取付孔８ｅとに挿通されている。
【００６８】
着脱具２５、２５は、互いの係合突部２８、２８、・・・が他方の挿入溝２７ａ、２７ａ、・・・に挿入されるときに導入部２７ｃ、２７ｃ、・・・によって押し広げられて弾性変形し、さらに挿入溝２７ａ、２７ａ、・・・の奥側に挿入され係合爪２８ａ、２８ａ、・・・が係合溝部２７ｂ、２７ｂ、・・・に対応して位置されたときに係合突部２８、２８、・・・が弾性復帰して係合爪２８ａ、２８ａ、・・・が係合溝部２７ｂ、２７ｂ、・・・に係合することにより結合される。
【００６９】
着脱具２５、２５は、該着脱具２５、２５の一方を他方に対して相対的に強く引っ張ることにより互いの結合が解除される。この結合の解除時には、着脱具２５を強く引っ張ることにより係合爪２８ａ、２８ａ、・・・が導入部２７ｃ、２７ｃ、・・・に対応して位置されたときに係合突部２８、２８、・・・が押し広げられて弾性変形し、さらに引っ張ることにより係合突部２８、２８、・・・が弾性復帰して元の状態に戻る。
【００７０】
次に、情報処理装置１の使用態様について説明する（図１４乃至図１６参照）。
【００７１】
右利きの使用者は、例えば、図１４に示すように、装置本体２を横長の状態となるように把持し、右側の紐取付孔５ｃに取付紐２３を取り付け、挿入用ループ部１７ａに右手を挿入し入力ペン３を用いてディスプレイ６に表示された画面に対して右手で入力操作等を行う。このとき親指を入力ペン３の一方の面１５に宛い、人差し指と中指を他方の面１６に宛う。
【００７２】
このようにして情報処理装置１を使用すれば、右手が挿入用ループ部１７ａに挿入されているため、装置本体２や入力ペン３の落下を防止することができる。
【００７３】
尚、例えば、机上や台上に装置本体２を載置して入力操作等を行う場合には、着脱具２５、２５を切り離して入力ペン３をストラップ４から取り外した状態で入力ペン３を使用することが可能である。
【００７４】
左利きの使用者は、例えば、図１５に示すように、装置本体２を横長の状態となるように把持し、左側の紐取付孔５ｃに取付紐２３を取り付け、挿入用ループ部１７ａに左手を挿入し入力ペン３を用いてディスプレイ６に表示された画面に対して右手で入力操作等を行う。このとき親指を入力ペン３の一方の面１５に宛い、人差し指と中指を他方の面１６に宛う。
【００７５】
このようにして情報処理装置１を使用すれば、左手が挿入用ループ部１７ａに挿入されているため、装置本体２や入力ペン３の落下を防止することができる。
【００７６】
尚、左利きの使用者においても、上記と同様に、着脱具２５、２５を切り離して入力ペン３を使用することが可能である。
【００７７】
情報処理装置１は、上記したように、ディスプレイ６に表示される画面の向きをローテーション釦７ｅを操作することにより９０°回転させることができるため、装置本体２を縦長の状態となるように把持して入力ペン３を用いて操作することが可能である（図１６参照）。この場合にも、上記と同様に、着脱具２５、２５を切り離して入力ペン３を使用することが可能である。
【００７８】
以上に記載した通り、情報処理装置１にあっては、ペン先８ｂ側の部分がペン先８ｂから遠去かるに従って幅が大きくなる略板状に形成されているため、指との接触面積が大きく、把持するための大きな力を必要とせず、把持状態が安定し手書き入力操作時の操作性の向上を図ることができる。
【００７９】
また、略板状であるために、丸軸状に形成された入力ペンのような軸回り方向への回転力が発生し難く、その分、使用者の把持力が小さくて済む。
【００８０】
さらに、入力ペン３の全体が略板状に形成されているため、入力ペン３を把持し易いと共に入力ペン３の軽量化を図ることができる。
【００８１】
さらにまた、情報処理装置１にあっては、入力ペン３をストラップ４を介して装置本体２に連結しているため、入力ペン３の紛失や落下を防止することができ、また、装置本体２に入力ペン３を収納するための収納部を必要としないため、装置本体２の小型化及び機構の簡素化を図ることができる。
【００８２】
加えて、情報処理装置１にあっては、入力ペン３をペン収納部に収納しないため、入力ペン３の形状やデザインの制約がなく、入力ペン３についての設計の自由度の向上を図ることができる。
【００８３】
また、使用者にとっては、入力ペン３を収納部に収納するという面倒な作業を行う必要がなくなる。
【００８４】
さらに、ストラップ４は、紐１７の挿入用ループ部１７ａの大きさを自由に変更することが可能であるため、挿入用ループ部１７ａを使用者の希望する大きさに変更できると共に装置本体２から入力ペン３までの長さを調節することができ、使い勝手の向上を図ることができる。
【００８５】
尚、上記のように、入力ペン３は、着脱具２５、２５を切り離すことによりストラップ４から取り外した状態で使用することが可能であるため、使用者にとっては、使用態様の幅が広がり、一層の使い勝手の向上を図ることができる。
【００８６】
また、入力ペン３がストラップ４に対して着脱可能であるため、ストラップ４に種類や大きさの異なる入力ペンを取り付けることも可能である。
【００８７】
さらに、紐保持具１８の固定部１９が摺動支持部２０より装置本体２に近い側に設けられているため、紐１７の挿入用ループ部１７ａの大きさを変更する際に入力ペン３の紐保持具１８に対する位置を変更するように紐１７の長さを調節すればよく、紐１７の挿入用ループ部１７ａの大きさを容易に変更することができる。
【００８８】
上記には、リーフ状に形成された入力ペン３を例として示したが、入力ペン３はこのようなリーフ状の形状に限られることはなく、少なくともペン先８ｂ側の部分がペン先８ｂから遠去かるに従って幅が広がる略板状に形成されていればよく、例えば、図１７に示すように、ペン先８ｂから遠去かるに従って漸次幅が広がるような略三角形状の入力ペン３Ａを用いることも可能である。
【００８９】
また、上記には、着脱具２５、２５を設けて入力ペン３をストラップ４に対して着脱可能とした構成とした例を示したが、この構成は必須のものではなく、着脱具２５、２５を設けずに、入力ペン３をストラップ４に対して着脱不能とすることも可能である。
【００９０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９１】
【図１】図２乃至図１７と共に本発明の最良の形態を示すものであり、本図は情報処理装置の斜視図である。
【図２】装置本体の斜視図である。
【図３】入力ペンの拡大分解斜視図である。
【図４】入力ペンの拡大斜視図である。
【図５】入力ペンの拡大正面図である。
【図６】入力ペンの拡大縦断面図である。
【図７】入力ペンの拡大側面図である。
【図８】射出成形により入力ペンのベース部材が形成される様子を示す概念図である。
【図９】ストラップと入力ペンを示す拡大正面図である。
【図１０】ストラップと入力ペンを示す斜視図である。
【図１１】ストラップと入力ペンを示すものであり、挿入用ループ部が最大の長さとされている状態を示す斜視図である。
【図１２】紐保持具の拡大断面図である。
【図１３】入力ペンの装置本体への取付方法を示す拡大斜視図である。
【図１４】図１５及び図１６と共に情報処理装置の使用態様を示すものであり、本図は装置本体を横向き状態にして右手で入力操作等を行う例を示す斜視図である。
【図１５】装置本体を横向き状態にして左手で入力操作等を行う例を示す斜視図である。
【図１６】装置本体を縦向き状態にして使用する例を示す斜視図である。
【図１７】入力ペンの別の例を示す拡大斜視図である。
【符号の説明】
【００９２】
１…情報処理装置、２…装置本体、３…入力ペン、４…ストラップ、８…ベース部材、８ａ…幅広部、８ｂ…ペン先、９…補強部材、１２…パーティングライン、１５…一方の面、１５ａ…曲面、１６…他方の面、１６ａ…曲面、１７…紐、１７ａ…挿入用ループ部、１８…紐保持具、１９…固定部、２０…摺動支持部、２５…着脱具、３Ａ…入力ペン、１００…第１の金型、１０１…第２の金型、１０２…第３の金型
【図１】
2005309482.tif 000003
【図２】
2005309482.tif 000004
【図３】
2005309482.tif 000005
【図４】
2005309482.tif 000006
【図５】
2005309482.tif 000007
【図６】
2005309482.tif 000008
【図７】
2005309482.tif 000009
【図８】
2005309482.tif 000010
【図９】
2005309482.tif 000011
【図１０】
2005309482.tif 000012
【図１１】
2005309482.tif 000013
【図１２】
2005309482.tif 000014
【図１３】
2005309482.tif 000015
【図１４】
2005309482.tif 000016
【図１５】
2005309482.tif 000017
【図１６】
2005309482.tif 000018
【図１７】
2005309482.tif 000019